(57)【要約】【課題】おむつを交換する際、容易にパンツ部を着脱することができ、かつ構造が簡単で生産コストが安い乳幼児用衣服を提供する。【解決手段】乳幼児用衣服１０は、前部１３と背部１４とを含む上衣１１と、上衣１１に連結され、腹部１５と腰部１６と一対の脚部１７ａ、１７ｂとを有するパンツ部１２とを備えている。また上衣１１の前部１３とパンツ部１２の腹部１５とは一体に連結されている。一方、上衣１１の背部１４とパンツ部１２の腰部１６とは連結されないで、おむつ換え用開口部２０を形成している。このおむつ換え用開口部２０から乳幼児Ｂのおむつ３０を容易に交換することができる。【選択図】図１
2008231631.tif 000002
【特許請求の範囲】
【請求項１】
前部と背部とを含む上衣と、
上衣に連結され、腹部と腰部と一対の脚部とを有するパンツ部とを備え、
上衣の前部とパンツ部の腹部とは一体に連結され、上衣の背部とパンツ部の腰部とは連結されないで、おむつ換え用開口部を形成することを特徴とする乳幼児用衣服。
【請求項２】
パンツ部の腰部上部周縁にゴムが挿入されていることを特徴とする請求項１に記載の乳幼児用衣服。
【請求項３】
上衣の背部は、パンツ部の腰部上に重なっており、この重なり幅は６０乃至１００ｍｍとなることを特徴とする請求項１または２に記載の乳幼児用衣服。
【発明の詳細な説明】
【技術分野】
【０００１】
本発明は、上衣とパンツ部とが一体となった乳幼児向けの衣服に係り、とりわけおむつを交換する際に容易に臀部や大腿部を露出させることができ、かつ構造が簡単で生産コストが安い乳幼児用衣服に関する。
【背景技術】
【０００２】
従来より、上下一体に構成された乳幼児用衣服が知られている。例えば図３に示すように、従来の乳幼児用衣服５０は、背面部５１と、背面部５１の右側縁５１ａから延びる右側前面部５２と、背面部５１の左側縁５１ｂから延びる左側前面部５３とを有している。背面部５１と右側前面部５２との間、および背面部５１と左側前面部５３との間に、一対の袖部５４が設けられている。
【０００３】
また右側前面部５２の端部５２ａと左側前面部５３の端部５３ａが、複数のスナップボタン５６ａにより互いに着脱自在に取付けられている。他方、右側前面部５２の下部および左側前面部５３の下部は、それぞれスナップボタン５６ｂ、５６ｃを介して背面部５１の下部に着脱自在に取付けられている。このようにして右側前面部５２の下部および左側前面部５３の下部を背面部５１の下部にそれぞれ取付けることにより、一対の筒状の脚部５５ａ、５５ｂが形成される。
【０００４】
ところで、このような乳幼児用衣服５０を着用している乳幼児のおむつを交換する場合、まず乳幼児を仰臥状態にする。次に、複数のスナップボタン５６ｂ、５６ｃを取外し、右側前面部５２および左側前面部５３を上方へまくり上げて、乳幼児のおむつを交換する。このようにしておむつの交換が完了した後、右側前面部５２および左側前面部５３を下方に引下げ、次に各スナップボタン５６ｂ、５６ｃを取付けることにより、右側前面部５２の下部および左側前面部５３の下部を背面部５１の下部にそれぞれ取付ける。
【０００５】
しかしながら、このような乳幼児用衣服５０を着用している乳幼児のおむつを交換する場合、その都度複数のスナップボタン５６ｂ、５６ｃを取外したり取付けたりする作業を行なう必要があるため煩雑である。またおむつを交換する際や着替えを行なう際、スナップボタン５６ａ、５６ｂ、５６ｃを掛け違えるミスが発生しやすい。またスナップボタン５６ａ、５６ｂ、５６ｃは、必要以上の力が加えられた場合などに故障が発生しやすい。さらに、乳幼児用衣服５０を製造する際多くのスナップボタン５６ａ、５６ｂ、５６ｃを縫製する必要があるため、乳幼児用衣服５０の生産コストが上昇してしまう。
【特許文献１】特開２００６−２０７０３８号公報
【発明の開示】
【発明が解決しようとする課題】
【０００６】
本発明はこのような点を考慮してなされたものであり、上衣の背部とパンツ部の腰部との間におむつ換え用開口部が形成されていることにより、おむつを交換する際、容易にパンツ部を着脱することができ、スナップボタンをなくすことで外観上の見栄えも良く、かつ構造が簡単で生産コストが安い乳幼児用衣服を提供することを目的とする。
【課題を解決するための手段】
【０００７】
本発明は、前部と背部とを含む上衣と、上衣に連結され、腹部と腰部と一対の脚部とを有するパンツ部とを備え、上衣の前部とパンツ部の腹部とは一体に連結され、上衣の背部とパンツ部の腰部とは連結されないで、おむつ換え用開口部を形成することを特徴とする乳幼児用衣服である。
【０００８】
本発明は、パンツ部の腰部上部周縁にゴムが挿入されていることを特徴とする乳幼児用衣服である。
【０００９】
本発明は、上衣の背部は、パンツ部の腰部上に重なっており、この重なり幅は６０乃至１００ｍｍとなることを特徴とする乳幼児用衣服である。
【発明の効果】
【００１０】
本発明によれば、上衣の背部とパンツ部の腰部との間におむつ換え用開口部が形成されているので、おむつを交換する際、おむつ換え用開口部から乳幼児の臀部や大腿部を露出させ、容易におむつを交換することができる。また乳幼児用衣服を着替えさせる際、おむつ換え用開口部から乳幼児の体を出し入れすることができる。
【００１１】
また、本発明によれば、乳幼児用衣服がスナップボタンを有しないので、おむつを交換する際や着替えをする際にスナップボタンを着脱する必要がない。またスナップボタンを有することなく、かつ上衣の前部とパンツ部の腹部とが一体に連結されているため、見栄えの良い外観を提供することができる。
【００１２】
さらに、本発明によれば、乳幼児用衣服の構造が簡単なので、乳幼児用衣服の生産コストを安くすることができる。
【発明を実施するための最良の形態】
【００１３】
以下、本発明の一実施の形態について、図１および図２を参照して説明する。
ここで、図１は、本発明の一実施の形態を示す正面図であり、図２は、おむつ換え用開口部を開とした状態における乳幼児用衣服を示す背面図である。
【００１４】
まず、図１および図２により本実施の形態による乳幼児用衣服の概略について説明する。
図１および図２に示す乳幼児用衣服１０は、おむつを着用する乳幼児用のための衣服である。すなわち図１および図２に示すように、乳幼児用衣服１０は、前部１３と、背部１４と、前部１３と背部１４との間に設けられた一対の袖部１９ａ、１９ｂとを含む上衣１１と、上衣１１に連結され、腹部１５と腰部１６と一対の脚部１７ａ、１７ｂとを有するパンツ部１２とを備えている。
【００１５】
図１に示すように、上衣１１の上端に乳幼児Ｂの頭部が突出する首周り部２２が形成され、首周り部２２の周囲に乳幼児Ｂの首周りを覆う襟部２３が設けられている。また首周り部２２の下方に縦方向に延びる開襟部２４が形成され、さらに開襟部２４に沿って開襟部２４を固定する複数のボタン２５が設けられている。
【００１６】
また図１に示すように、上衣１１の前部１３とパンツ部１２の腹部１５とは一体に連結されている。すなわち、乳幼児用衣服１０は、上衣１１と、上衣１１とは別体に構成されたパンツ部１２とを一体に連結して構成したものであり、上衣１１の前部１３の下部１３ａとパンツ部１２の腹部１５の上部１５ａとは、横一線に延びる前面縫製部１８において互いに縫合されている。また上衣１１の前部１３とパンツ部１２の腰部１６とは、腰部１６の上部１６ａ両端に設けられた側部縫製部１８ａ、１８ｂにおいて互いに縫合されている。
【００１７】
一方、図２に示すように、上衣１１の背部１４とパンツ部１２の腰部１６とは連結されないで、おむつ換え用開口部２０を形成している。すなわち、通常時において、図１に示すように背部１４の下部１４ａは腰部１６の上部１６ａを覆っている。これに対して、着替えの際やおむつ３０を交換する際には、図２に示すように、背部１４の下部１４ａをまくり上げるとともに腰部１６の上部１６ａを引下げ、これにより背部１４の下部１４ａと腰部１６の上部１６ａとの間のおむつ換え用開口部２０が大きく開かれる。
【００１８】
また、図２に示すように、パンツ部１２の腰部１６の上部１６ａ周縁に、伸縮自在のゴム２１が挿入されている。これにより、通常時にはパンツ部１２の腰部１６を乳幼児Ｂの腰に密着させることができるとともに、着替えの際やおむつ３０を交換する際には腰部１６の上部１６ａを引下げ、これによりおむつ換え用開口部２０から容易に乳幼児Ｂの臀部や大腿部を露出させることができる。
【００１９】
ところで、上述したように上衣１１の背部１４は、パンツ部１２の腰部１６上に重なっている。この背部１４と腰部１６との重なり幅Ｗは、腰部１６の上端１６ｂと背部１４の下端１４ｂとの間の幅に相当し、また上述した側部縫製部１８ａ、１８ｂの長さに相当する。この重なり幅Ｗは６０乃至１００ｍｍとなるのが好ましく、約８０ｍｍとなるのが最も好ましい。なお、背部１４と腰部１６との重なり幅Ｗが６０ｍｍ未満であると、乳幼児Ｂが屈んだ際などにおむつ換え用開口部２０から乳幼児Ｂの背中が露出しやすい。他方、重なり幅Ｗが１００ｍｍを上回ると、おむつ換え用開口部２０からおむつ３０を交換したり乳幼児Ｂの着替えをさせたりする作業がむずかしくなる。
【００２０】
なお図１に示すように、腰部１６の上端１６ｂは前面縫製部１８より上方に設けられ、背部１４の下端１４ｂは前面縫製部１８より下方に設けられている。なお、前部１３の下端１３ｂと背部１４の下端１４ｂとは同一の高さに配置されている。
【００２１】
ところで図１および図２において、上衣１１はポロシャツ形状を有しているが、これに限らず、上衣１１は、例えば襟部２３を有さないＴシャツ形状や袖部１９ａ、１９ｂを有さないタンクトップ形状を有していても良い。すなわち、上衣１１およびパンツ部１２のデザインはそれぞれ自由に変更することができる。これら上衣１１とパンツ部１２とを組合わせることにより、図３に示すような従来の乳幼児用衣服５０と比較して多くの種類からなる乳幼児用衣服１０を構成することができる。
【００２２】
次に、このような構成からなる本実施の形態の作用について述べる。
【００２３】
まず、乳幼児Ｂのおむつ３０を交換する際の作用について述べる。
はじめに、乳幼児Ｂを寝かせ、上衣１１の背部１４を上方にまくり上げる。次に、パンツ部１２の腰部１６を下方に引き下げる。この際、腰部１６の上部１６ａ周縁に設けられたゴム２１が伸びるので、おむつ換え用開口部２０が大きく開き、乳幼児Ｂの臀部およびおむつ３０が露出する（図２）。次に、乳幼児Ｂの両足Ｌ、Ｌをパンツ部１２の各脚部１７ａ、１７ｂから引き抜く。
【００２４】
その後、このようにして乳幼児Ｂの臀部や大腿部を露出させた状態で、乳幼児Ｂのおむつ３０を交換する。
【００２５】
次に、おむつ３０を交換した後、乳幼児Ｂの両足Ｌ、Ｌをパンツ部１２の各脚部１７ａ、１７ｂ内に挿入して収納する。次に、パンツ部１２の腰部１６を乳幼児Ｂの腰側に引き上げる。この際、腰部１６の上部１６ａ周縁に設けられたゴム２１により、パンツ部１２の腰部１６が乳幼児Ｂの腰に密着する。次に、上衣１１の背部１４を下方に引下げ、背部１４の下部１４ａを腰部１６の上部１６ａ上に重ね合わせる。
【００２６】
次に、乳幼児Ｂを着替えさせる際の作用について述べる。
まず、乳幼児Ｂを脱衣させる場合の作用について述べる。この場合、おむつ３０を交換する場合と同様、まず乳幼児Ｂを寝かせ、この状態で上衣１１の背部１４を上方にまくり上げ、かつパンツ部１２の腰部１６を下方に引き下げる。次に、乳幼児Ｂの両足Ｌ、Ｌをパンツ部１２の各脚部１７ａ、１７ｂから引き抜き、パンツ部１２を乳幼児Ｂから取り除く。
【００２７】
次に、上衣１１を上方へ引き上げる。この際、乳幼児Ｂの頭部を首周り部２２から抜き取るとともに、乳幼児Ｂの両腕Ａ、Ａを一対の袖部１９ａ、１９ｂから抜き取る。このようにして、乳幼児Ｂの上半身から上衣１１が取り外される。これにより、乳幼児Ｂが乳幼児用衣服１０を脱衣することができる。この際、各ボタン２５を予め取り外して開襟部２４を開としておくと、首周り部２２から乳幼児Ｂの頭部を容易に抜き取ることができる。
【００２８】
次に、乳幼児Ｂに着衣させる場合の作用について述べる。
まず、各ボタン２５を予め取り外して開襟部２４を開とし、この状態で首周り部２２内へ乳幼児Ｂの頭部を挿入する。同時に乳幼児Ｂの両腕Ａ、Ａを一対の袖部１９ａ、１９ｂ内に挿入して収納する。次に、上衣１１を乳幼児Ｂの腹側へ引き下げることにより、上衣１１が乳幼児Ｂの上半身に着用される。その後、各ボタン２５を取付けて開襟部２４を閉とする。
【００２９】
次に、乳幼児Ｂの両足Ｌ、Ｌをパンツ部１２の各脚部１７ａ、１７ｂ内に挿入して収納する。次に、パンツ部１２の腰部１６を乳幼児Ｂの腰側に引き上げる。その後、上衣１１の背部１４を下方に引下げ、上衣１１の背部１４をパンツ部１２の腰部１６上に重ね合わせる。このようにして、パンツ部１２が乳幼児Ｂの下半身に着用される。これにより、乳幼児Ｂが乳幼児用衣服１０を着衣することができる。
【００３０】
このように、本実施の形態によれば、上衣１１の背部１４とパンツ部１２の腰部１６との間におむつ換え用開口部２０が形成されているので、おむつ３０を交換する際、おむつ換え用開口部２０から乳幼児Ｂの臀部や大腿部を露出させ、容易におむつ３０を交換することができる。また乳幼児用衣服１０を着替えさせる際、おむつ換え用開口部２０から乳幼児Ｂの体を出し入れすることができる。
【００３１】
また、本実施の形態によれば、乳幼児用衣服１０がスナップボタンを有しないので、おむつ３０を交換する際や着替えをする際にスナップボタンを着脱する必要がない。またスナップボタンを有することなく、かつ上衣１１の前部１３とパンツ部１２の腹部１５とが一体に連結されているため、見栄えの良い外観を提供することができる。
【００３２】
さらに、本実施の形態によれば、乳幼児用衣服１０は、上衣１１の前部１３とパンツ部１２の腹部１５とを縫合して一体に連結されているので、乳幼児用衣服１０の構造が簡単であり、乳幼児用衣服１０の生産コストを安くすることができる。また、上衣１１とパンツ部１２とを種々組合わせることにより、多様なデザインからなる乳幼児用衣服１０を構成することができる。
【図面の簡単な説明】
【００３３】
【図１】本発明による乳幼児用衣服の一実施の形態を示す正面図。
【図２】おむつ換え用開口部を開とした状態における乳幼児用衣服を示す背面図。
【図３】従来の乳幼児用衣服を示す正面図。
【符号の説明】
【００３４】
１０    乳幼児用衣服
１１    上衣
１２    パンツ部
１３    前部
１３ａ  前部の下部
１３ｂ  前部の下端
１４    背部
１４ａ  背部の下部
１４ｂ  背部の下端
１５    腹部
１５ａ  腹部の上部
１６    腰部
１６ａ  腰部の上部
１６ｂ  腰部の上端
１７ａ、１７ｂ  脚部
１８    前面縫製部
１８ａ、１８ｂ  側部縫製部
１９ａ、１９ｂ  袖部
２０    おむつ換え用開口部
２１    ゴム
２２    首周り部
２３    襟部
２４    開襟部
２５    ボタン
３０    おむつ
【図１】
2008231631.tif 000003
【図２】
2008231631.tif 000004
【図３】
2008231631.tif 000005